(57)【要約】【課題】本発明は、冷房運転時の水平吹出し案内と、暖房運転時の下方吹出し案内との切換えを確実で効率よく行い風向案内特性の向上をなし、熱交換空気に乱流が生じることの無い円滑な流通を可能とした風向案内装置を備える空気調和機の室内機を提供する。【解決手段】吹出し口６に設けられ熱交換空気の上下方向吹出し案内をなす１枚の上下風向ルーバ７Ａと、この上下風向ルーバと上下風向ルーバ用駆動機構３１Ａを介して連結される上下風向ルーバ用駆動モータ３０Ａと、上下風向ルーバの一面に取付けられ熱交換空気の左右方向の吹出し案内をなす複数枚の左右風向ルーバ７Ｂと、左右風向ルーバと左右風向ルーバ用駆動機構３１Ｂを介して連結され左右風向ルーバを一斉に同方向に回動駆動する左右風向ルーバ用駆動モータ３０Ｂと、上下風向ルーバ用駆動モータおよび左右風向ルーバ用駆動モータに電気的に接続されこれら駆動モータを制御する制御部Ｒとを具備する。【選択図】      図１
2010048492.tif 000002
【特許請求の範囲】
【請求項１】
空気調和機の吹出し口に設けられ、この吹出し口から吹出される熱交換空気の上下方向の吹出し案内をなす１枚の上下風向ルーバと、
この上下風向ルーバと上下風向ルーバ用駆動機構を介して連結され、上下風向ルーバを回動駆動する上下風向ルーバ用駆動源と、
上記上下風向ルーバの一面に取付けられ、上記吹出し口から吹出される熱交換空気の左右方向の吹出し案内をなす、互いに所定間隔を存して連結される複数枚の左右風向ルーバと、
これらの左右風向ルーバと左右風向ルーバ用駆動機構を介して連結され、複数枚の左右風向ルーバを一斉に同方向に回動駆動する左右風向ルーバ用駆動源と、
前記上下風向ルーバ用駆動源および前記左右風向ルーバ用駆動源に電気的に接続され、これら駆動源を制御する制御手段と、
を具備することを特徴とする空気調和機の風向案内装置。
【請求項２】
上記上下風向ルーバは、その両側部に、上下風向ルーバの回動中心となす枢支用孔を備えた支持用リブが設けられ、
上記左右風向ルーバ用駆動機構は、上記左右風向ルーバ用駆動源に駆動されることにより軸方向に沿って進退移動する駆動棒を備え、
この駆動棒は、上記上下風向ルーバに設けられる上記支持用リブの枢支用孔の中心を通る
ことを特徴とする請求項１記載の空気調和機の風向案内装置。
【請求項３】
上記上下風向ルーバ用駆動機構は、上記支持用リブの枢支用孔に嵌着され、上記上下風向ルーバ用駆動源に駆動されることにより支持用リブおよび上下風向ルーバを回動変位する駆動軸を備え、
この駆動軸の中心軸に断面が非円形状の孔部が設けられ、
この駆動軸の孔部に、外形断面を非円形状とする前記駆動棒が、軸方向に進退自在に嵌め合わされる
ことを特徴とする請求項２記載の空気調和機の風向案内装置。
【請求項４】
前記左右風向ルーバは、前記上下風向ルーバ一面の長手方向の中間部を境に左右に２組取付けられ、
各組の左右風向ルーバは、それぞれが上記上下風向ルーバに取付けられる支持用リブの枢支用孔中心を通る上記駆動棒を介して上記左右風向ルーバ用駆動源に連結され、
互いの駆動棒の断面は円形であるとともに、支持用リブに対して回動自在に枢支される
ことを特徴とする請求項２記載の空気調和機の風向案内装置。
【請求項５】
上記左右風向ルーバ用駆動機構は、上記駆動棒と、この駆動棒と上記左右風向ルーバとの間に介在する左右風向ルーバ調節具および連結固定具を備え、
これら左右風向ルーバ調節具と連結固定具は、上記吹出し口内に配置される
ことを特徴とする請求項２記載の空気調和機の風向案内装置。
【請求項６】
上記左右風向ルーバ用駆動機構は、
上記左右風向ルーバ用駆動源に嵌着されるピニオンギヤと、
このピニオンギヤの回転駆動にともなって上記駆動棒のスライド移動をなす、駆動棒に設けられピニオンギヤに噛合するラック部と、
を具備することを特徴とする請求項２記載の空気調和機の風向案内装置。
【請求項７】
上下風向ルーバ上に左右２組の左右風向ルーバを搭載し、上下風向ルーバの両側部に各組の左右風向ルーバの左右風向ルーバ用駆動源を配置して、左右独立で左右風向ルーバの駆動を可能とし、
電源投入時のイニシャライズ時や運転停止時において、一方の左右ルーバ用駆動機構を構成する連結固定具は上記一方の支持用リブに密接され、他方の左右風向ルーバ用駆動機構を構成する連結固定具は上記他方の支持用リブに密接される
ことを特徴とする請求項２記載の空気調和機の風向案内装置。
【請求項８】
上記上下風向ルーバに直接、もしくは上下風向ルーバに取付けられる部品を介して、位置ズレ規制構造を備えた
ことを特徴とする請求項１ないし請求項７のいずれかに記載の空気調和機の風向案内装置。
【発明の詳細な説明】
【技術分野】
【０００１】
本発明は、空気調和機の室内機に設けられる吹出し口に備えられ、吹出し口から吹出される熱交換空気の吹出し案内を行う風向案内装置の改良に関する。
【背景技術】
【０００２】
室内機と室外機とから構成される空気調和機において、室内機には得られた冷気等の熱交換空気を室内へ吹出し案内する風向案内装置が備えられている。この種の風向案内装置は、室内機本体の吹出し口に設けられる左右風向ルーバと、上下風向ルーバと、これら左右、上下それぞれの風向ルーバを駆動する駆動源と駆動機構とからなる。
【０００３】
一般的には、［特許文献１］に開示されるように、送風機の下流側に形成される吹出し通風路に、左右風向ルーバが設置され、この吹出し通風路の先端である吹出し口に上下風向ルーバが設置される。そのうえで、この発明の特徴は、上下風向ルーバを主風向板と副風向板に分割して、暖房運転時に機能させることにある。
【０００４】
上述の技術では、上下風向ルーバを通風路先端の吹出し口に備えることにより、吹出し口から吹出される熱交換空気の上下方向の風向制御幅は比較的広角に行われる。これに対して、左右風向ルーバは室内機本体内部である吹出し通風路の中途部に備えられるので、熱交換空気の左右方向の風向制御幅は極く狭いものとなっている。
【０００５】
近年の住宅は、リビング、ダイニング、キッチン等、続き間の大部屋化が進んでおり、上下方向ばかりか左右方向への風向特性の向上が求められるが、上記技術では左右方向の風向調整幅が狭く広角な風向案内ができない。また、左右方向の風向を変更した後に上下方向の風向を変更するので、風向変更時のロスが２回発生し風量損失が無視できない。
【０００６】
［特許文献２］には、吹出し口に上下風向ルーバ（上下風向板）を回動可能に設け、この上下方向ルーバに左右風向ルーバ（左右風向板）を回動可能に設け、左右風向板を駆動する駆動装置を吹出し口の一側部に設けられた駆動モータと、この駆動モータと左右風向ルーバとを連係する連係手段で構成した空気調和機が開示されている。
【特許文献１】特開平５−５２３８６号公報
【特許文献２】特開２００６−３００４６０号公報
【発明の開示】
【発明が解決しようとする課題】
【０００７】
上記［特許文献２］の技術によれば、上下方向ばかりでなく、左右方向の風向調整幅が広くとれ、広角な風向案内ができる。左右方向の風向案内と上下方向の風向案内とを同時に行うため、風向変更時のロスが１度ですみ、風量損失の低下を防止する。
【０００８】
ただし、ここには冷房運転時における冷気の吹出し案内と、暖房運転時における暖気の吹出し案内についての説明がない。同文献の図１には、上下風向ルーバが斜め前方に傾いて描かれているところから、冷房運転時における冷気の吹出し案内を説明しているものと推測できる。
【０００９】
同図では、上下風向ルーバが左右風向ルーバの上面にあり、換言すれば上下風向ルーバの下部側に左右風向ルーバが位置している。しかも、この状態で上下風向ルーバは下部側に凹状で、上部側に凸状に湾曲成されている。そのため、上下風向ルーバに案内される冷気のほとんどは水平方向に向かずに、下方である床面へ向ってしまう。
【００１０】
この種の室内機は壁掛け形であり、部屋の高所に取付けられるので、冷房運転時には可能な限り冷気を水平方向に案内し、居住者の足元には冷気を送らないことが望ましい。この点、［特許文献２］の技術では冷気が居住者の足元に送られ易く、快適性に欠けたものとなってしまう。
【００１１】
さらに、複数枚の左右風向ルーバは連結ピンを介して連結杆に連結され、前記連結杆は吹出し口の前方となる左右風向ルーバの前端部に設けられる、ことが明記されている。すなわち、連結杆が設けられる位置は上下風向ルーバの前端部でもあるので、熱交換空気が通過する際の抵抗となり、乱流の要因となって円滑な流通が妨げられてしまう。
【００１２】
本発明は上記事情にもとづきなされたものであり、その目的とするところは、冷房運転時における水平吹出し案内と、暖房運転時における下方吹出し案内との切換えを確実に、かつ効率よく行えて風向案内特性の向上を図れるとともに、熱交換空気の円滑な流通を可能とした空気調和機の風向案内装置を提供しようとするものである。
【課題を解決するための手段】
【００１３】
上記目的を満足するため本発明の空気調和機の風向案内装置は、空気調和機の吹出し口に１枚の上下風向ルーバを設けて吹出し口から吹出される熱交換空気の上下方向の吹出し案内をなし、上下風向ルーバ用駆動源を上下風向ルーバと上下風向ルーバ用駆動機構を介し連結して上下風向ルーバを回動駆動し、複数枚の左右風向ルーバを互いに所定間隔を存して連結した状態で上下風向ルーバの一面に取付け吹出し口から吹出される熱交換空気の左右方向の吹出し案内をなし、左右風向ルーバ用駆動源を左右風向ルーバと左右風向ルーバ用駆動機構を介し連結して左右風向ルーバを一斉に同方向に回動駆動し、制御手段を上下風向ルーバ用駆動源および左右風向ルーバ用駆動源に電気的に接続してこれら駆動源を制御する。
【発明の効果】
【００１４】
本発明の空気調和機の風向案内装置によれば、冷房運転時における水平吹出し案内と、暖房運転時における下方吹出し案内との切換えを確実に、かつ効率よく行えて風向案内特性の向上を図れる効果を奏する。
【発明を実施するための最良の形態】
【００１５】
以下、本発明の実施の形態を、図面にもとづいて説明する。  
図１は冷凍サイクル運転の停止時における空気調和機の室内機を概略的に示す縦断面図、図２は同運転停止時における室内機の外観を示す斜視図、図３は冷凍サイクル運転時における室内機の外観を示す斜視図である。（なお、説明中に符号を付していない部品は図示していない。図示しても符号を付していない部品もある。以下同じ。）
室内機本体１は、前側筐体を構成する前面パネル２と、後側筐体を構成する後本体３とからなり、上下方向に対して左右幅方向に横長状に形成される。室内機本体１の前面側一部に前面吸込み口４が開口され、前面吸込み口４に対向する前面パネル２には開閉駆動機構に支持される可動パネル２Ａが嵌め込まれている。
【００１６】
図１は冷凍サイクル運転の停止時を示していて、可動パネル２Ａは前面パネル２と同一面となって前面吸込み口４を閉塞し、室内機本体１の外観の一部を構成する。冷凍サイクル運転が開始されると、上記パネル開閉機構が作動し、上記可動パネル２Ａは前面吸込み口４から離間して前面側へ突出移動する。
【００１７】
したがって、可動パネル２Ａの周囲に室内と連通する隙間が生じ、前面吸込み口４を室内に対して開放できる。室内機本体１の上部には上面吸込み口５が開口されていて、この上面吸込み口５には複数の空間部に仕切る枠状の桟が嵌め込まれる。
【００１８】
上記室内機本体１の前面下部には吹出し口６が開口され、この吹出し口６には後述する風向案内装置Ｆが設けられる。前記風向案内装置Ｆは、回動姿勢によって上記吹出し口６を開閉し、かつ冷凍サイクル運転条件に応じて熱交換空気の吹出し方向を設定できるようになっている。
【００１９】
室内機本体１内には、前側熱交換器部８Ａと後側熱交換器部８Ｂとで略逆Ｖ字状に形成される熱交換器８が配置される。前側熱交換器部８Ａは、前面吸込み口４全体および上面吸込み口５一部と対向するよう湾曲状に形成され、後側熱交換器部８Ｂは、直状で斜めに傾斜し上面吸込み口５一部と対向している。
【００２０】
熱交換器８の前後側熱交換器部８Ａ，８Ｂ相互間に、室内送風機１０が配置される。室内送風機１０は、室内機本体１の一側端のスペースに配置されたファンモータと、このファンモータの回転軸に連結される横流ファンとから構成される。横流ファンの軸方向長さは熱交換器８の幅方向長さと同一に設定され、互いに正しく対向するように配置される。
【００２１】
前側熱交換器部８Ａの下端部は前ドレンパン１２ａ上に載り、後側熱交換器部８Ｂの下端部は後ドレンパン１２ｂ上に載る。前、後ドレンパン１２ａ，１２ｂは、それぞれ室内機本体１を構成する後本体３に一体に成形され、熱交換器部８Ａ，８Ｂから滴下するドレン水を受けて図示しない排水ホースを介し屋外へ排水できるようになっている。
【００２２】
前後ドレンパン１２ａ，１２ｂの一部側壁外面は室内送風機１０に近接して設けられ、これらで室内送風機１０の横流ファンに対するノーズを構成している。ノーズとなる前後ドレンパン１２ａ，１２ｂの側壁部分と吹出し口６の各辺部との間は、隔壁部材１４によって連結される。
【００２３】
前記室内送風機１０を駆動すると、前記隔壁部材１４で囲まれる空間がノーズと吹出し口６とを連通する吹出し通風路１５Ａとなる。これに対して、前記前面吸込み口４および上面吸込み口５から前記熱交換器８に至る間に、吸込み通風路１５Ｂが形成されることになる。
【００２４】
一方、前面パネル２の上面に設けられる上面吸込み口５と熱交換器８の上端部との間に亘って、上部枠体組立１６が介在される。上部枠体組立１６の前端部に沿って、エアフィルタ清掃ユニットＳが取付けられ、前端部を除く部位全体に亘って上面エアフィルタ１７が移動自在に支持される。
【００２５】
エアフィルタ清掃ユニットＳは、上面エアフィルタ１７と、前面エアフィルタ１８を交互に通過させ、これらに接触して付着している塵埃を除去し清掃する作用をなすためのものである。除去した塵埃は、一旦、室内機本体１側部に設けられる排気ユニットに導かれ、ここから屋外へ排出されるようになっている。
【００２６】
前面エアフィルタ１８と前側熱交換器部８Ａとの間の吸込み通風路１５Ｂ中に、イオン発生器Ｍが設けられる。このイオン発生器Ｍは、イオン発生電極２０とアース電極である対向電極２１を備えていて、これらイオン発生電極２０および対向電極２１がケース体２２に取付けられることで構成される。
【００２７】
上記イオン発生器Ｍは、室内機を構成する部品と、吸込み通風路１５Ｂに導かれる室内空気に対してマイナスイオンを発生し、室内機構成部品に付着する雑菌類と、室内空気に含まれる雑菌類を殺菌して清浄化する。そして、清浄化にともない脱臭作用も得られることとなる。
【００２８】
つぎに、上記風向案内装置Ｆについて詳述する。  
図４は風向案内装置Ｆの一部（中央部）を省略し両側部の構成のみを示す平面図、図５は風向案内装置Ｆの一側部を拡大して示す斜視図、図６は風向案内装置Ｆの一側部の組立構造を説明する斜視図、図７は風向案内装置Ｆの一側部を分解して示す斜視図、図８は風向案内装置Ｆの駆動構造を説明する図である。
【００２９】
上記風向案内装置Ｆは、１枚の上下風向ルーバ７Ａと、複数枚の左右風向ルーバ７Ｂと、上下風向ルーバ７Ａを駆動する駆動源３０Ａおよび駆動機構３１Ａと、左右風向ルーバ７Ｂを駆動する駆動源３０Ｂおよび駆動機構３１Ｂとから構成される。
【００３０】
特に図示していないが、ここでは上下風向ルーバ７Ａの中間部分を境にして左右対称に左右風向ルーバ７Ｂが複数枚ずつ設けられている。すなわち、１枚の上下風向ルーバ７Ａに対して、この中間部から左右に、１組が複数枚で、２組の左右風向ルーバ７Ｂが分かれて設けられる。
【００３１】
なお、この構成は必ずしも限定されるものではなく、１枚の上下風向ルーバ７Ａの全長に亘って、複数枚で１組の左右風向ルーバ７Ｂを取付けてもよい。ただし、駆動源３０Ｂとしては駆動力が、より大なるものを使用しなければならず、さらにそのうえ、駆動源の据付けスペースを確保するために室内機本体１の小型化が妨げられてしまう。
【００３２】
図４に示すように、各組の左右風向ルーバ７Ｂを駆動するための駆動源（以下、「左右風向ルーバ用駆動モータ」と呼ぶ）３０Ｂと、駆動機構（以下、「左右風向ルーバ用駆動機構」と呼ぶ）３１Ｂが、上下風向ルーバ７Ａの左右両側部に設けられる。  
また、上下風向ルーバ７Ａを駆動するための駆動源（以下、「上下風向ルーバ用駆動モータ」と呼ぶ）３０Ａと、駆動機構（以下、「上下風向ルーバ用駆動機構」と呼ぶ）３１Ａが、上下風向ルーバ７Ａの左側部にのみ設けられる。
【００３３】
すなわち、上下風向ルーバ７Ａの左側部には、上下風向ルーバ用駆動モータ３０Ａおよび上下風向ルーバ用駆動機構３１Ａと、左右風向ルーバ用駆動モータ３０Ｂおよび左右風向ルーバ用駆動機構３１Ｂの一部が互いに近接した位置に取付けられる。これらルーバ用駆動モータ３０Ａ，３０Ｂが取付けられる部位は、上記吹出し口６の左側部である。
【００３４】
上下風向ルーバ７Ａの右側部には、左右風向ルーバ用駆動モータ３０Ｂおよび左右風向ルーバ用駆動機構３１Ｂのみが取付けられる。このルーバ用駆動モータ３０Ｂが取付けられる部位は、上記吹出し口６の右側部である。  
いずれのルーバ用駆動モータ３０Ａ，３０Ｂも制御部（制御手段）Ｒと電気的に接続されていて、この制御部Ｒから送られる信号を受けて、正回転駆動もしくは逆回転駆動され、あるいは駆動停止信号を受けるように制御される。
【００３５】
さらに制御部Ｒは、特に図示していないが前面吸込み口４、上面吸込み口５、熱交換器８、吸込み通風路１５Ｂ、吹出し通風路１５Ａ他に取付けられる温度センサや湿度センサから検知信号を受けて演算し、室外機に配置される圧縮機、室外送風機、上記室内送風機１０、イオン発生器Ｍ、エアフィルタ清掃ユニットＳ等へ制御信号を送る。
【００３６】
つぎに、図４の左側部に示す上下風向ルーバ用駆動モータ３０Ａに連結される上下風向ルーバ用駆動機構３１Ａと、左右風向ルーバ用駆動モータ３０Ｂに連結される左右風向ルーバ用駆動機構３１Ｂについて詳細に説明する。  
上下風向ルーバ用駆動モータ３０Ａの回転軸には、上下風向ルーバ用駆動ギヤ３２が嵌着されている。また、左右風向ルーバ用駆動モータ３０Ｂの回転軸には、左右風向ルーバ用駆動ギヤ３３が嵌着されている。
【００３７】
図５および図８図に拡大して示すように、左右風向ルーバ用駆動ギヤ３３は駆動棒３４の一端部に設けられるラック部３５に噛合する。すなわち、左右風向ルーバ用駆動ギヤ３３がピニオンギヤを構成してラック部３５に噛合し、駆動モータ３０Ｂの駆動方向に応じて駆動棒３４を軸方向に沿って進退移動できるようになっている。
【００３８】
上記駆動棒３４には、上記ラック部３５の一側端と隣接して、ラック部３５の直径よりも大なる直径の鍔部３６が設けられ、この軸方向に沿ってスライド軸部３７が設けられる。前記スライド軸部３７の鍔部３６寄りの部位には複数の突条３８が、周方向に所定間隔を存し、かつ軸方向に沿って設けられる。
【００３９】
さらに、前記スライド軸部３７には角軸部４０と、掛合軸部４１が一体に連設される。前記角軸部４０は、断面が非円形である、たとえば六角状をなす。前記掛合軸部４１は、角軸部４０の直径よりも細径で断面が円形の軸部であり、この一部周面に沿って溝部４２を有するとともに、先端はテーパー状に形成される。
【００４０】
前記駆動棒３４のスライド軸部３７に、駆動軸４３が嵌め合わされる。この駆動軸４３には前記駆動棒３４におけるスライド軸部３７の角軸部４０に嵌め合わされる断面六角形状の孔部を備えている。したがって、駆動軸４３と駆動棒３４は、互いに軸方向に沿ってスライド自在であるとともに、互いに一体に回転自在である。
【００４１】
前記駆動軸４３の外周面一部には、上下風向ルーバ用駆動ギヤ３２と噛合するギヤ部４４が設けられる。上下風向ルーバ用駆動モータ３０Ａは前記部位に取付け固定され、この回転軸に嵌着される上下風向ルーバ用駆動ギヤ３２の軸方向位置も固定である。したがって、上下風向ルーバ用駆動ギヤ３２に噛合されるギヤ部４４を備えた駆動軸４３の軸方向位置も固定である。
【００４２】
上下風向ルーバ用駆動モータ３０Ａが駆動されると、上下風向ルーバ用駆動ギヤ３２とギヤ部４４を介して駆動軸４３が回転駆動され、この駆動軸４３に嵌め合わされる駆動棒３４も回転駆動される。ただし、左右風向ルーバ用駆動モータ３０Ｂが駆動されない限り、駆動棒３４はその位置を保持して回転するのみである。
【００４３】
前記駆動軸４３には、前記ギヤ部４４の軸方向に沿って外形断面が真円状の軸部４５と、外形断面が六角状の外角軸４６が設けられる。すなわち、駆動軸４３の内径に沿って孔部が設けられ、外形に沿ってギヤ部４４と、軸部４５および外角軸４６が軸方向に沿って連設される。
【００４４】
再び図４に示すように、上下風向ルーバ７Ａの右側部に配置される左右風向ルーバ用駆動モータ３０Ｂの回転軸に、左右風向ルーバ用駆動ギヤ３３が嵌着され、先に説明したのと同一構成の駆動棒３４のラック部３５が掛合する。  
前記駆動棒３４にはラック部３５とスライド軸部３７が連設され、このスライド軸部３７は単なる丸棒状の軸でよいが、先端をテーパー状となすとともに、上記溝部４２と同様の溝部を備える必要がある。
【００４５】
特に図７に示すように、上下風向ルーバ７Ａは、左右幅方向（以下、「Ｘ方向」と呼ぶ）に長く、奥行き方向（以下、「Ｙ方向」と呼ぶ）に短い、横長形状の平板からなる。上下風向ルーバ７ＡのＸ方向の長さは吹出し口６の左右幅方向の長さに一致し、ルーバ７ＡのＹ方向の長さは吹出し口６の縦方向の長さに一致する。したがって、上下風向ルーバ７Ａは吹出し口６を開閉可能な寸法形状をなす。
【００４６】
上下風向ルーバ７Ａは、図１に示す冷凍サイクル運転停止時の状態で、上面が凹状で、下面が凸状になるよう、Ｙ方向に沿って湾曲成されている。上下風向ルーバ７Ａの上面で、Ｘ方向の両側端部であり、Ｙ方向の中間部位に、略三角状の支持用リブ４８が一体に立設されている。
【００４７】
前記支持用リブ４８の頂部には六角孔からなる枢支用孔４９が設けられ、基端部には孔部が設けられる。前記枢支用孔４９の形状寸法は、上記駆動軸４３に設けられる外角軸４６の外形の形状寸法と略一致する。したがって、支持用リブ４８の枢支用孔４９に駆動軸４３の外角軸４６が嵌着できる。
【００４８】
図４にのみ図示しているが、上下風向ルーバ７Ａの右側部上面にも支持用リブ４８が設けられていて、ここには上記駆動棒３４のスライド軸部３７の直径寸法よりもわずかに大なる孔径の枢支用孔が設けられる。すなわち、支持用リブ４８の枢支用孔に駆動棒３４のスライド軸部３７がスライド自在に挿通される。
【００４９】
上下風向ルーバ７Ａの上面の、Ｙ方向の中間位置から前後に振り分けられた位置で、かつＸ方向に所定間隔を存して複数の位置決め用突起５０が一体に設けられる。これら位置決め用突起５０は前記支持用リブ４８の枢支用孔４９を中心として、Ｙ方向に振り分けて設けられることになる。
【００５０】
上記左右風向ルーバ７Ｂは、Ｙ方向の長さが、このＹ方向に沿う面部とは直交する垂直方向（以下、「Ｚ方向」と呼ぶ）の長さよりも長く形成されている。そして、左右風向ルーバ７ＢのＹ方向の長さが、上下風向ルーバ７ＡのＹ方向長さと同等もしくは、それ以上に形成される。
【００５１】
左右風向ルーバ７ＢはＹ方向に沿う上端で、かつ両側部がＲ状に形成される。このＲ状の一方側部には複数（ここでは３条）の案内用突条５１が、Ｚ方向に所定間隔を存し、Ｙ方向の端縁からＹ方向の略中間部に亘って一体に設けられる。それぞれの案内用突条５１は、流線状をなす。
【００５２】
左右風向ルーバ７Ｂの下端は、略中間部が凹状に形成され、この凹状部に掛合用突起５３と調節用突起５４が、互いに離間した位置に一体に設けられる。  
前記掛合用突起５３は、後述する連結杆５５に所定間隔を存して設けられる孔部５６に掛合される。前記連結杆５５は、複数枚の左右風向ルーバ７Ｂに亘り対向して設けられる杆状体であり、複数枚の左右風向ルーバ７Ｂと１本の連結杆５５は互いに掛合用突起５３と孔部５６を介して回動自在に連結される。
【００５３】
先に説明したように、上下風向ルーバ７ＡのＸ方向の略中間部を境に、左右に２組の左右風向ルーバ７Ｂが備えられるところから、前記連結杆５５も上下風向ルーバ７Ａに対して左右に２本備えられる。
【００５４】
左右風向ルーバ７Ｂにおける前記調節用突起５４には、後述する左右風向ルーバ調節具５８に所定間隔を存して設けられる孔部５９が掛合さる。したがって、左右風向ルーバ７Ｂと左右風向ルーバ調節具５８とは互いに、調節用突起５４と孔部５９を介して回動自在に連結される。
【００５５】
前記左右風向ルーバ調節具５８は１枚の板体からなり、Ｘ方向の長さは上下風向ルーバ７Ａの左右両側端に設けられる上記支持用リブ４８の相互間寸法に一致する。左右風向ルーバ調節具５８の両側部には突起６０が一体に設けられ、支持用リブ４８の孔部に掛脱自在である。
【００５６】
また、左右風向ルーバ調節具５８のＸ方向に沿う側端部には所定間隔を存して複数の切欠き６１が設けられる。切欠き６１のＹ方向間隔は、上下風向ルーバ７Ａにおける位置決め用突起５０のＹ方向間隔と略一致し、切欠き６１の位置と長さは位置決め用突起５０に嵌り合う寸法形状をなす。
【００５７】
実際の組立にあたって、複数枚の左右風向ルーバ７Ｂそれぞれの掛合用突起５３を、連結杆５５の孔部５６に掛合して、これら左右風向ルーバ７Ｂと連結杆５５との連結をなす。さらに、左右風向ルーバ７Ｂそれぞれの調節用突起５４を左右風向ルーバ調節具５８の孔部５９に掛合して、左右風向ルーバ調節具５８と、複数枚の左右風向ルーバ７Ｂおよび連結杆５５を一体化する。
【００５８】
左右風向ルーバ調節具５８と、左右風向ルーバ７Ｂと、連結杆５５との一体物を、上下風向ルーバ７Ａ両側部の支持用リブ４８相互間に対向し、左右風向ルーバ調節具５８両側端の突起６０を、支持用リブ４８の孔部に掛合する。  
この状態で、左右風向ルーバ調節具５８の切欠き６１が、上下風向ルーバ７Ａの位置決め用突起５０に掛合する。したがって、上下風向ルーバ７Ａに、左右風向ルーバ７Ｂと、左右風向ルーバ調節具５８および連結杆５５が取付けられた一体物が構成されることになる。
【００５９】
前記左右風向ルーバ調節具５８のＸ方向の両側部には、後述する連結固定具６３がＸ方向に移動自在に嵌め込まれる。この連結固定具６３は、左右風向ルーバ調節具５８の下面においてＸ方向に延出する杆部ａを備えている。すなわち、前記連結固定具６３の杆部ａは左右風向ルーバ調節具５８に遮蔽され、図４および図５の組立状態では露出しない。
【００６０】
連結固定具６３を構成する杆部ａの一側端に駆動棒連結部６４が設けられ、他側端に連結杆掛合部６５が設けられていて、これら駆動棒連結部６４と連結杆掛合部６５が左右風向ルーバ調節具５８の上面に露出する。  
前記駆動棒連結部６４は、半円状の受け孔ｂを備えた受け部６６と、この受け部６６にヒンジを介して回動自在に取付けられる押え部６７とからなる。前記押え部６７には受け部６６に対して掛脱自在なフック部が設けられているとともに、前記受け孔ｂと同一曲率半径の半円状の押え孔ｃが設けられる。
【００６１】
前記フック部を介して押え部６７を受け部６６に掛合固定した状態で、押え孔ｃと受け孔ｂは真円状となり、上記駆動棒３４の先端に形成される掛合軸部４１の直径と同一直径の孔部となる。また、押え部６７の押え孔ｃにはロック爪ｄが突設されていて、このロック爪ｄは掛合軸部４１の溝部４２に掛脱自在な突出量と突出幅に形成されている。
【００６２】
前記連結杆掛合部６５にはＹ方向に長い長孔ｅが設けられていて、この長孔ｅには連結杆５５の一側部下面に設けられる連結突起６８が掛合される。  
さらに実際の組立にあたって、左側部の左右風向ルーバ用駆動モータ３０Ｂを駆動し、左右風向ルーバ用駆動ギヤ３３と駆動棒３４のラック部３５を介して、駆動棒３４を後退移動させる。駆動棒３４の掛合軸部４１先端が駆動軸４３の外角軸４６先端と略同一位置まで移動したら停止する。
【００６３】
右側部の左右風向ルーバ用駆動モータ３０Ｂにおいては、駆動棒３４が支持用リブ４８から抜け出ない程度に最大限後退させたあと停止する。つぎに、左右風向ルーバ７Ｂ他を一体化した上下風向ルーバ７Ａを持ち、この左側部に設けられる支持用リブ４８を駆動棒３４と駆動軸４３に対向させ、枢支用孔４９を駆動軸４３の外角軸４６に嵌め込む。
【００６４】
そして、ある程度、上下風向ルーバ７Ａの中間部分を撓ませて、右側部に設けられる支持用リブ４８の枢支用孔を駆動棒３４のスライド軸部３７先端に挿入する。いずれにしても、左右風向ルーバ調節具５８の左右両側部それぞれの連結固定具６３における押え部６７を受け部６６に対して開放しておく。
【００６５】
この状態から左右両側の左右風向ルーバ駆動用モータ３０Ｂを逆回転駆動して、駆動棒３４先端の掛合軸部４１が支持用リブ４８から突出する方向にスライド付勢する。図６に示すように、掛合軸部４１先端が連結固定具６３の受け部６６に設けられる受け孔ｃに挿入したところで、左右風向ルーバ駆動用モータ３０Ｂを停止する。
【００６６】
左右両側部の掛合軸部４１を連結固定具６３の受け部６６に挿入したあと、それぞれの連結固定具６３の押え部６７を回動して受け部６６に合せ、フック部で固定する。押え部６７に設けられるロック爪ｄは掛合軸部４１の溝部４２に挿入し、掛合状態となる。したがって、駆動棒３４と連結固定具６３は軸方向であるＸ方向にスライド自在に連結され、連結固定具６３に対して駆動棒３４は空回転自在となる。
【００６７】
両側部の駆動棒３４と連結固定具６３との連結固定を上述のようになすことで、上下風向ルーバ７Ａと左右風向ルーバ７Ｂの一体物を一側部の上下風向ルーバ用駆動モータ３０と、左右両側部の左右風向ルーバ用駆動モータ３０Ｂとにそれぞれの駆動機構３１Ａ，３１Ｂを介して連結できる。
【００６８】
すなわち、上下風向ルーバ用駆動機構３１Ａとして、ギヤ部４４を備えた駆動軸４３から構成される。左右風向ルーバ用駆動機構３１Ｂとして、駆動棒３４と、連結固定具６３と、連結杆５５および左右風向ルーバ調節具５８から構成される。  
特に、左右風向ルーバ用駆動機構３１Ｂを構成する連結固定具６３と連結杆５５および左右風向ルーバ調節具５８等、ほとんどの部品は、上下風向ルーバ７ＡのＹ方向の中間部に取付けられることになる。
【００６９】
図９（Ａ）は上下風向ルーバ７Ａに左右風向ルーバ７Ｂを取付けた状態での、これらのＸ方向の中間部分を示す斜視図であり、図９（Ｂ）は同部位の断面図である。いずれも、上下風向ルーバ７Ａの位置ズレ防止構造を説明するための図である。  
上下風向ルーバ７ＡのＸ方向の中間部には、支軸ｆを備えた中間支持用リブ７０が設けられ、左右風向ルーバ調節具５８には前記中間支持用リブ７０を突出させるための切欠きが設けられる。中間支持用リブ７０の支軸ｆは、室内機本体１の上記隔壁部材１４上面部に一体に突設される支持片部７１の孔部ｇに挿入される。
【００７０】
さらに、上下風向ルーバ７Ａの中間部分にはズレ止め用爪部７２が一体に設けられていて、左右風向ルーバ調節具５８には前記ズレ止め用爪部７２が突出する切欠きが設けられる。ズレ止め用爪部７２は上記支持片部７１の下端縁に弾性的に当接して、中間支持用リブ７０の支軸ｆと支持片部７１の孔部ｇとの掛合にガタが生じないように付勢する。
【００７１】
すなわち、上下風向ルーバ７Ａは左右風向ルーバ７Ｂ等が一体に組み込まれた状態で、この中間部分が支持片部７１を介して室内機本体１に支持される。そして、ズレ止め用爪部７２により室内機本体１に対する上下風向ルーバ７Ａの位置のズレが規制され、ガタの発生がない。
【００７２】
つぎに、このようにして構成される空気調和機の室内機における作用について説明する。  
使用者がリモコン（遠隔操作盤）の運転ボタンを押圧操作すると、室内送風機１０が駆動されるとともに、イオン発生器Ｍに通電される。さらに、室内機と冷媒管を介して連通する室外機において圧縮機が駆動され、冷凍サイクル運転が開始される。
【００７３】
室内空気は前面吸込み口４および上面吸込み口５から室内機本体１内に吸込まれ、吸込み通風路１５Ｂに沿って導かれて、前面エアフィルタ１８および上面エアフィルタ１７を通過する。このとき、室内空気中に含まれる塵埃が前面エアフィルタ１８および上面エアフィルタ１７に捕捉される。
【００７４】
前面エアフィルタ１８と上面エアフィルタ１７により塵埃が除去された室内空気は、イオン発生器Ｍの作用により殺菌され脱臭される。同時に、イオン発生器Ｍは室内機構成部品の殺菌も行う。清浄化した室内空気は熱交換器８を流通し、ここに導かれる冷媒と熱交換作用が行われて熱交換空気となる。
【００７５】
そのあと、熱交換空気は吹出し通風路１５Ａに沿って導かれ、吹出し口６から室内へ吹出される。このとき、後述するように風向案内装置Ｆに吹出し案内されて、効率のよい空調運転を継続する。
【００７６】
長時間、冷凍サイクル運転を継続すると前面エアフィルタ１８と上面エアフィルタ１７に捕捉され、付着している塵埃の量が増えて空気流通の抵抗となる。そこで、定期的にエアフィルタ清掃ユニットＳを作動させて、各エアフィルタ１８，１７に付着している塵埃を除去し屋外へ排出する。
【００７７】
なお、冷房運転時と、暖房運転時では、後述するように風向案内装置Ｆの姿勢を変化調整する。  
図１０（Ａ）は冷房運転時での室内機一部の断面図、図１０（Ｂ）は同冷房運転時における風向案内装置Ｆの姿勢を説明する図である。図１１（Ａ）は暖房運転時での室内機一部の断面図、図１１（Ｂ）は同暖房運転時における風向案内装置Ｆの姿勢を説明する図である。
【００７８】
はじめに冷房運転時における風向案内装置Ｆの姿勢について説明する。  
冷房運転開始の信号が制御部Ｒに入ると、制御部Ｒは直ちに上下風向ルーバ用駆動モータ３０Ａへ駆動信号を送る。上下風向ルーバ用駆動ギヤ３２が回転駆動され、この駆動ギヤ３２と噛合するギヤ部４４を備えた駆動軸４３が回転駆動される。
【００７９】
駆動軸４３の外角軸４６に、上下風向ルーバ７Ａ左側部の支持用リブ４８における枢支用孔４９が掛合するところから、上下風向ルーバ７Ａは支持用リブ４８の枢支用孔４９を回動中心として回動駆動される。
【００８０】
上述したように、左右風向ルーバ用駆動機構３１Ｂを構成する駆動棒３４は、上下風向ルーバ７Ａの回動中心となす支持用リブ４８の枢支用孔４９の中心を通る。駆動軸４３とともに駆動棒３４が回転駆動されるが、連結固定具６３に設けられるロック爪ｄに対して駆動棒３４に設けられる溝部４２が空回りする。
【００８１】
したがって、駆動棒３４と連結固定具６３のスライド移動はない。左側部の連結固定具６３に連結される連結杆５５の移動は無いので、この連結杆５５に連結される全ての左右風向ルーバ７Ｂはその姿勢が固定される。
【００８２】
一方、上下風向ルーバ７Ａ右側部の支持用リブ４８では、丸孔からなる枢支用孔が駆動棒３４のスライド軸部３７に対して回動する。ここでも左右風向ルーバ用駆動機構３１Ｂを構成する駆動棒３４は、上下風向ルーバ７Ａの回動中心となす支持用リブ４８の枢支用孔の中心を通る。
【００８３】
ただし、右側部の左右風向ルーバ用駆動モータ３０Ｂが停止しているので、駆動棒３４と連結固定具６３のスライド移動はなく、駆動棒３４の溝部４２と連結固定具６３のロック爪ｄが空回りするのみである。右側部の連結固定具６３に連結される連結杆５５の移動が無いから、右側部における全ての左右風向ルーバ７Ｂの姿勢が固定される。
【００８４】
図１０（Ａ）（Ｂ）に示すように、上下風向ルーバ７Ａが吹出し通風路１５Ａに沿うよう斜め姿勢になったところで、制御部Ｒは上下風向ルーバ用駆動モータ３０Ａの回転を停止制御する。支持用リブ４８は上下風向ルーバ７Ａの上面側に位置し、かつ駆動軸４３等を介して支持される左右風向ルーバ７Ｂも上下風向ルーバ７Ａの上面側に位置する。
【００８５】
制御部Ｒは冷房用冷凍サイクル運転の開始制御をなすとともに、左右風向ルーバ用駆動モータ３０Ｂを正逆回転駆動するよう制御する。冷凍サイクル作用が行われる一方で、左右風向ルーバ用駆動ギヤ３３が回転駆動され、ラック部３５を備えた駆動棒３４は軸方向にスライド付勢される。
【００８６】
駆動棒３４に一体に連結される連結固定具６３がスライド付勢され、連結固定具６３の連結杆掛合部６５に掛合する連結突起６８を備えた連結杆５５が同方向にスライド付勢される。  
左右風向ルーバ７Ｂは、左右風向ルーバ調節具５８の孔部５９に掛合する調節用突起５４を支点とし、連結杆５５の孔部５６に掛合する掛合用突起５３を作動点として、連結杆５５の移動にともない一体に回動付勢される。
【００８７】
すなわち、連結固定具６３の移動により連結杆５５を介して複数の左右風向ルーバ７Ｂが一斉に同方向に回動する。左右風向ルーバ用駆動モータ３０Ｂは所定時間、所定方向に回転駆動したあと、反所定方向に所定時間は回転駆動するよう制御される。
【００８８】
連結固定具６３と連結杆５５は所定時間ずつ往復駆動され、これにともない複数枚の左右風向ルーバ７Ｂは一斉に所定方向と反所定方向に回動駆動される、いわゆる首振り運動をなす。冷凍サイクル運転にともなって吹出し口６から吹出される冷気は、左右方向に案内されて室内の隅々に到達する。
【００８９】
左右風向ルーバ７Ｂの側端部に設けられている複数条の案内用突条５１は、流線状をなしているところから、冷気を左右風向ルーバ７Ｂの案内用突条５１に沿って円滑に導くこととなり、送風効率の向上を得られる。
【００９０】
しかも、上下風向ルーバ７Ａは左右風向ルーバ７Ｂに向って凹状に湾曲成されている。吹出し口６から吹出される冷気は上下風向ルーバ７Ａにより斜め前方に案内されるとともに、上下風向ルーバ７Ａの凹状姿勢に沿って導かれる。冷気は図に矢印で示すように、上下風向ルーバ７Ａによって斜め上方に持ち上げられる。
【００９１】
結果として、湾曲成される上下風向ルーバ７Ａは吹出し気流の中心よりも下方側に位置することとなり、風の剥離がなくなり、水平方向へ効率よく気流を曲げることができる。冷気はより遠くへ、より上方へ導かれ、室内の床面から離間して居住人の足元を直接冷やすことが無い。風向案内装置Ｆを備えたことによって、快適な冷房空調を得られる。
【００９２】
このとき上下風向ルーバ用駆動モータ３０Ａを停止して、上下風向ルーバ用駆動ギヤ３２を介して噛合される駆動軸４３を、駆動棒３４のスライド移動に影響されずに固定状態を保持してもよい。あるいは、上下風向ルーバ用駆動モータ３０Ａを正逆回転駆動して、上下風向ルーバ７Ａを所定の角度範囲で上下に揺動駆動するようにしてもよい。
【００９３】
上下風向ルーバ用駆動機構３１Ａを構成する駆動軸４３は、上下風向ルーバ７Ａに設けられる支持用リブ４８の枢支用孔４９に嵌着され、上下風向ルーバ用駆動モータ３０Ａの駆動により支持用リブ４８および上下風向ルーバ７Ａを回動変位する。
【００９４】
駆動軸４３の中心軸に断面六角状の孔部を備えて、外形断面を六角状とする角軸部４０を備えた駆動棒３４が軸方向に沿って進退自在に嵌め合わされる。駆動棒３４が駆動軸４３と同期して回転するために、上下風向ルーバ７Ａを回動駆動してもロス無く左右風向ルーバ７Ａに動力を伝達できる。
【００９５】
暖房運転モードを選択すると制御部Ｒは、上下風向ルーバ用駆動モータ３０Ａを制御して、上下風向ルーバ用駆動ギヤ３２を回転させ、駆動軸４３を介して上下風向ルーバ７Ａを図１１（Ａ）（Ｂ）に示すような略垂直姿勢にする。したがって、左右風向ルーバ７Ｂは上下風向ルーバ７Ａの裏面側に位置する。
【００９６】
この姿勢を保持したまま暖房の冷凍サイクル運転をなすとともに、左右風向ルーバ用駆動モータ３０Ｂを正逆回転駆動するよう制御する。このとき上下風向ルーバ用駆動モータ３０Ａにも通電して、上下風向ルーバ７Ａを所定の角度範囲内で首振り運動するようにしてもよい。
【００９７】
左右風向ルーバ用駆動モータ３０の駆動にともない、上述したように左右風向ルーバ７Ｂはいわゆる首振り運動をなし、吹出し口６から吹出される暖気を室内の隅々まで案内する。また、左右風向ルーバ７Ｂに設けられる案内用突条５１は暖気を円滑に案内し、送風効率の向上を得る。
【００９８】
しかも、上下風向ルーバ７Ａは左右風向ルーバ７Ｂに向って凹状に湾曲成されている。吹出し口６から吹出される暖気は図に矢印で示すように、上下風向ルーバ７Ａによって下方へ吹出し案内されるとともに、上下風向ルーバ７Ａの凹状姿勢に沿い下方へ導かれる。
【００９９】
結果として、吹出し気流の中心よりも上方側に上下風向ルーバ７Ａが位置するために、風の剥離がなくなり、下方向へ効率よく気流を曲げることができる。暖気は室内機から室内の床面へ案内され、居住人の足元を暖める。上記風向案内装置Ｆを備えたことによって、いわゆる頭寒足熱の快適な暖房空調を得られる。
【０１００】
冷房運転時と、暖房運転時のいずれにおいても、左右２組の、複数枚ずつの左右風向ルーバ７Ｂを一斉に回動駆動するようにしたので、これら左右風向ルーバ７Ｂを取付けた横長形状の上下風向ルーバ７Ａは長手方向であるＸ方向に位置ズレし易い状態となる。
【０１０１】
しかしながら、ここでは上下風向ルーバ７Ａに設けた中間支持用リブ７０の支軸ｆと、室内機本体１に設けた支持片部７１の孔部ｇとの掛合により、左右風向ルーバ７Ｂの一斉回動にともなう上下風向ルーバ７Ａの位置ズレを規制する。しかも、上下風向ルーバ７Ａにズレ止め用爪部７２を設けたので、さらに位置ズレの確実な規制をなす。
【０１０２】
また、上下風向ルーバ７Ａに複数枚の左右風向ルーバ７Ｂと左右風向ルーバ用駆動機構３１Ｂのほとんど大部分を取付けたので、横長形状の上下風向ルーバ７Ａに過剰な負荷がかかる。位置ズレ規制構造を備えることで、上下風向ルーバ７Ａの中間部にかかる負荷の軽減を得られる。
【０１０３】
風向案内装置Ｆの構成上、上下風向ルーバ７ＡのＹ方向の略中間部に左右風向ルーバ調節具５８が取付けられ、ここに左右風向ルーバ７Ｂと連結杆５５および連結固定具６３が備えられる。  
すなわち、冷気と暖気である熱交換空気が風向案内装置Ｆを構成する上下風向ルーバ７Ａに沿って吹出し案内されるとき、この上下風向ルーバ７ＡのＹ方向の略中間部に、左右風向ルーバ７Ｂと左右風向ルーバ用駆動機構３１Ｂのほとんど大部分が設けられている。
【０１０４】
したがって、冷房運転時と暖房運転時のいずれにも係りなく、左右風向ルーバ用駆動機構３１Ｂが熱交換空気の送風抵抗となることが少なく、乱流の要因を抑制して円滑な流通を可能とする。
【０１０５】
メンテナンス時に、吹出し口６から上下風向ルーバ７Ａと左右風向ルーバ７Ｂを外すには、予め両側部の左右風向ルーバ駆動用モータ３０Ｂを所定方向に回転駆動して駆動棒３４をスライド移動し、図４に二点鎖線で示すように、左右の連結固定具６３を左右の支持用リブ４８に密着させた状態にして上記駆動用モータ３０Ｂを停止させる。
【０１０６】
そのあと左右風向ルーバ調節具５８の長手方向（Ｘ方向）の略中間部を持って引き上げ撓ませれば、左右風向ルーバ調節具５８とともに左右風向ルーバ７Ｂと連結杆５５および連結固定具６３が一体となって上下風向ルーバ７Ａから取外しでき、容易に必要なメンテナンスを行える。
【０１０７】
左側部の支持用リブ４８においては駆動軸４３の外角軸４６先端から駆動棒３４先端を最大限引き込んだ状態とし、右側部の支持用リブ４８においては駆動棒３４先端を支持用リブ４８側面部から最大限引き込んだ状態にしておけば、上下風向ルーバ７Ａの支持用リブ４８を駆動棒３４先端から容易に取外しできる。
【０１０８】
したがって、上下風向ルーバ７Ａに対しても必要なメンテナンスを行える。左右風向ルーバ７Ｂと上下風向ルーバ７Ａに対するメンテナンスを終了し、再び所定の部位に取付ける場合は、上述のように行えばよい。
【０１０９】
左右風向ルーバ７Ｂに対するイニシャライズ（初期運転設定）時や、冷凍サイクル運転停止時においても、図４に二点鎖線で示すように、左側の連結杆５５に接続される左側グループの左右風向ルーバ７Ｂを左方向に傾けて連結固定具６３を左側の支持用リブ４８に接触させる。
【０１１０】
同様に、右側の連結杆５５に接続される右側グループの左右風向ルーバ７Ｂを右方向に傾けて連結固定具６３を右側の支持用リブ４８に接触させる。このようにすることにより、左右風向ルーバ７Ｂを取付けたまま上下風向ルーバ７Ａの取外しが容易になり、メンテナンス作業の向上化を図れる。
【０１１１】
本発明においては、上下風向ルーバ７Ａと、左右風向ルーバ７Ｂとを一体に構成し、それぞれを駆動機構３１Ａ，３１Ｂを介して駆動モータ３０Ａ，３０Ｂに連結し、制御部Ｒにより各風向ルーバ７Ａ，７Ｂをコントロールするようにしたので、室内機本体１の奥行き寸法が短くてすみ薄型化が図れる。吹出し口６から熱交換空気をきめ細く吹出し案内でき、吹出し案内にともなう風速の低下を極力抑えて送風効率の向上を得られる。
【０１１２】
室内送風機１０から吹出し通風路１５Ａに沿って導かれる熱交換空気を吹出し口６までストレートに送ることができて、風速低下の抑制化を図れる。すなわち、同じ送風機１０の送風能力でありながら、熱交換空気を室内のより遠方まで送風案内でき、快適空調を得られる。
【０１１３】
風向偏向部分である風向案内装置Ｆを吹出し口６に配置できるので、吹出し通風路１５Ａからストレートに送られてきた空気の室内左右方向への偏向幅が大きく取れ、左右方向に気流を確実に曲げられる。そのため、左右方向への送風量を大きくとることができ、左右送風角度の範囲を大幅に広げられる。
【０１１４】
上下風向ルーバ７Ａの両側部に、上下風向ルーバの回動中心となす枢支用孔４９を備えた支持用リブ４８を設け、左右風向ルーバ用駆動機構３１Ｂは軸方向に沿って進退移動する駆動棒３４を備え、この駆動棒３４は支持用リブ枢支用孔４９の中心を通るように構成した。したがって、上下風向ルーバ７Ａの位置にかかわらず、左右風向ルーバ７Ｂへ確実に動力を伝えることができる。
【０１１５】
駆動棒３４の断面形状を非円形（六角状）とし、この駆動棒３４が通る上下風向ルーバ用駆動機構３１Ａを構成する駆動軸４３の孔部も同一形状とした。駆動棒３４と駆動軸４３とを同期して回転でき、上下風向ルーバ７Ａの駆動中でありながら、ロス無く左右風向ルーバ７Ｂに動力を伝達できる。
【０１１６】
上下風向ルーバ７Ａの長手方向の中間部を境に、左右に複数枚の左右風向ルーバ７Ｂを２組取付け、各組の左右風向ルーバ７Ｂは駆動棒３４を介して左右風向ルーバ用駆動モータ３０Ｂに連結し、駆動軸４３は上下風向ルーバ７Ａとともに回動するように構成した。  
中央部より左右分離し、左右別々に配置した左右風向ルーバ用駆動モータ３０Ｂで独立して制御するため、左右風向ルーバ７Ｂの幅寸法を短くでき、負荷が小さくなるため、上下風向ルーバ７Ａが駆動中であっても、ロス無く左右風向ルーバ７Ｂに動力を伝達できる。
【０１１７】
上記左右風向ルーバ用駆動機構３１Ｂは、上記駆動棒３４と、左右風向ルーバ調節具５８および連結固定具６３を備え、左右風向ルーバ調節具５８と連結固定具６３を吹出し口６内に配置した。そのため、駆動棒３４との着脱が容易となり、メンテナンス作業性の向上を図れる。
【０１１８】
上下風向ルーバ７Ａに直接、もしくは上下風向ルーバ７Ａに取付けられる部品を介して、位置ズレ規制構造を備えた。左右風向ルーバ７Ｂの駆動力により上下風向ルーバ７Ａが軸方法にずれることを防止しながらも、メンテナンス性を阻害しない。
【０１１９】
左右風向ルーバ用駆動機構３１Ｂは、左右風向ルーバ用駆動モータ３０Ｂに嵌着される駆動ギヤ（ピニオンギヤ）３３と、駆動棒３４に設けられ前記駆動ギヤ３３に噛合されて駆動棒３４の進退移動に動力を伝達するラック部３５を具備した。動力伝達のロスを最小限に抑えるとともに、駆動棒３４が回転しても常に一定の伝達性能を発揮できる。
【０１２０】
電源投入時のイニシャライズ時や運転停止時に、左側部の左右ルーバ用駆動機構３１Ｂを構成する連結固定具６３を左側の支持用リブ４８に密接し、右側部の左右風向ルーバ用駆動機構３１Ｂを構成する連結固定具６９を右側の支持用リブ４８に密接するようにした。左右風向ルーバ７Ｂの取外しが容易になり、メンテナンス作業効率の向上を得られる。
【０１２１】
本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【０１２２】
【図１】本発明における一実施の形態に係る、空気調和機の室内機の概略縦断面図。
【図２】同実施の形態に係る、室内機の外観斜視図。
【図３】同実施の形態に係る、室内機の冷凍サイクル運転時における外観斜視図。
【図４】同実施の形態に係る、風向案内装置の一部を省略した平面図。
【図５】同実施の形態に係る、風向案内装置一部を拡大した斜視図。
【図６】同実施の形態に係る、風向案内装置一部をさらに拡大し作用を説明する図。
【図７】同実施の形態に係る、風向案内装置一部の分解した斜視図。
【図８】同実施の形態に係る、風向案内装置の駆動部を説明する図。
【図９】同実施の形態に係る、風向案内装置のズレ止め構造を説明する斜視図と断面図。
【図１０】同実施の形態に係る、冷房運転時における風向案内装置の姿勢を説明する図。
【図１１】同実施の形態に係る、暖房運転時における風向案内装置の姿勢を説明する図。
【符号の説明】
【０１２３】
６…吹出し口、７Ａ…上下風向ルーバ、３１Ａ…上下風向ルーバ用駆動機構、３０Ａ…上下風向ルーバ用駆動モータ（上下風向ルーバ用駆動源）、７Ｂ…左右風向ルーバ、３１Ｂ…左右風向ルーバ用駆動機構、３０Ｂ…左右風向ルーバ用駆動モータ（左右風向ルーバ用駆動源）、Ｒ…制御部（制御手段）、４９…枢支用孔、４８…支持用リブ、３４…駆動棒、４３…駆動軸、５８…左右風向ルーバ調節具、６３…連結固定具、７０…中間支持用リブ、７１…支持片部、７２…ズレ止め用爪部、３３…左右風向ルーバ用駆動ギヤ（ピニオンギヤ）、３５…ラック部。
【図１】
2010048492.tif 000003
【図２】
2010048492.tif 000004
【図３】
2010048492.tif 000005
【図４】
2010048492.tif 000006
【図５】
2010048492.tif 000007
【図６】
2010048492.tif 000008
【図７】
2010048492.tif 000009
【図８】
2010048492.tif 000010
【図９】
2010048492.tif 000011
【図１０】
2010048492.tif 000012
【図１１】
2010048492.tif 000013